(57)【特許請求の範囲】
【請求項１】
二人用、または一人用兼用の手袋であって、後端部に手挿入口、先端部に開口部を有し、側縁の一方に親指の挿入部を備え、手袋の内部に手保持部を設け、前記手保持部の先端部にゆとりスペースが設けられており、ゆとりスペースとなる余幅部分の長さが手袋の全長の１/３ほどであることを特徴とする手袋。
【請求項２】
前記手袋先端の開口部に伸縮性のあるゴムを設けたことを特徴とする請求項１記載の手袋。
【発明の詳細な説明】
【技術分野】
【０００１】
本発明は、二人で手をつないで着用でき、しかも一人用でも使用可能な手袋に関するものである。
【背景技術】
【０００２】
２名が互いに手袋を着用しながら手を繋ぐ際には、従来、１人用の手袋を着用する場合の他、共有部分を持つ一体型の手袋を着用する手段があったが、手袋を着用したまま、互いの指を手袋の指に対する袋部分を介さずに直接触れ合うには、１人用の手袋の場合、指部分のみが直接むき出しの状態となる形状のものを用いることがあったが、それのみでは、指の部分が直接外気に触れることを妨げることができず、また、一体型の手袋内にて素手で直接つなぎ合う場合には、その構造上、常に一つの手袋を共有するため、不便に感じることや、制限される場合があった。
【０００３】
従来の二人用手袋を、図５に示す。図５の（ａ）は、各指に対する袋部分をもたない手袋を着用した２名が、手をつなごうとする際の説明図である。（ｂ）は、２名一体型の一例である手袋を着用した２名が、手をつなごうとする際の説明図である。（ｃ）は  ２名一体型の他の例を示す手袋を着用した２名のうち、片方の１名が手袋から手を離した際、残ったもう１名が着用している手袋の状態を示す。
【先行技術文献】
【特許文献】
【０００４】
【特許文献１】特開２００９−１９３１８号公報
【特許文献２】特開２００６−２０７０７９号公報
【特許文献３】登録実用新案  第３１６３０４９９号公報
【特許文献４】登録実用新案  第３０２４７４４号公報
【発明の概要】
【発明が解決しようとする課題】
【０００５】
上記特許文献１、特許文献２、特許文献３、および特許文献４は、２名一体型の手袋であるため、繋がれた２名の接合部に対するとっさの障害物への回避に問題があり、またその構造上、２名の繋ぎ方に制限があり、その上、常に２名での同時使用を念頭にしているため、装着していた２名のうち、日常生活での使用の際にて、どちらか片方が手袋から手を離すような状況にあっては、残された装着者に残った手袋のデザインの配慮に、課題があった。
【０００６】
本発明は、これらの問題点を解決するためになされたものであり、従来の二人用手袋の問題点を整理すると、下記のとおりとなる。
（１）二人用として考案された一体型の手袋の場合、構造上、着脱には時間がかかり、両者の繋がれた手部分への障害物、人などに対した、とっさの事態に対応する際には、不安な点が考えられた。
（２）二人用として考案された、手袋をそれぞれに分割することを想定しない、部分的な共有部分を有した一体型の手袋の場合、互いの手の指の握り具合や密着する面積に対して、制限がある場合があった。
（３）二人用として考案された一体型の手袋の場合、繋がれた２名のうち片方が、なんらかの事情により共有部分の手袋から手を離す際、もう片方の使用者は、２名一体型として用意された手袋を、１名のみで着用することになる為、周囲に対し、本来のデザインを損なう印象を与える可能性があった。
（４）指部分をもたない手袋を着用し、手をつなぐ場合、繋いだ指部分が直接外気に触れるため、冬季に利用するには寒さを防ぐことができなかった。
【０００７】
本願発明は、手袋として、寒さなどから手を保護する目的を有した上で、２名の着用者それぞれの指を直接つなぐことができ、かつ、繋がれた２名の指に対する共有部分への、とっさによる障害物への回避に迫られた際などに於いて、双方の手を容易に離すことができる、しかも、なんらかの事情で一名のみの着用となっても外観上違和感がなく、さらに指がむき出しにならないので、防寒上支障のない二人用の手袋を提供することを目的とする。
【課題を解決するための手段】
【０００８】
以上の課題を解決するためになされた本願発明の請求項１の手袋は、二人用、または一人用兼用の手袋であって、後端部に手挿入口、先端部に開口部を有し、側縁の一方に親指の挿入部を備え、手袋の内部に手保持部を設けたことを特徴とする。本願発明の請求項２の手袋は、請求項１に記載の手袋において、手保持部の先端部にゆとりスペースが設けられている事を特徴とする。
【発明の効果】
【０００９】
手をつなぐ部分を共有にせず、独立にしたことによって、障害物に直面した際などの、互いの手を分つ動作に対して、素手で手を繋いでいた状態と変わらない対応ができるようになる。
【００１０】
共有部分を有さない独立された形状であり、かつ、親指を除く、指の袋部分を設けないことで、２名間において素手で繋ぎ合う際には、手袋内における、親指を除く各指の自由な動きや、繋ぎ方が可能となり、離そうとする際には簡単に離すことが可能で、しかも勝手に離れてしまうことがない。
【００１１】
片方が手を離した際にも、他方における手袋の本来のデザインを損なうことなく、使用することができる。
【００１２】
手袋として指を包み込むのに充分な袋部分の長さを有しているため、単独で使用する際には、余った部分を内側に折り込む、または握り込む等によって、外気に直接触れることを防げることができる他、互いの手を繋ぐ際は、繋ぎ合ったことで減少したそれぞれの該当部の面によって、つなぎ目にあたる部分に対する、外気の直接的な侵入を防ぐことができる。
【００１３】
手が離れた状態で、素手の指を使用した動作を必要とする場合には、手袋の指部分の袋を適当な長さまでまくり上げて使用すればよい。
【００１４】
さらに、親指に対して、独立した袋部分を持たせることにより、手袋を脱着せずとも、先端の指部分の布のみをまくり上げることのみによって、素手部分にて直接触る、握る、などの動作に対応ができる他、外気に触れる指部分に対し、必要なだけの露出を容易に調整できるようになる。
【００１５】
２名での着用に限定されず、１名での着用時であっても、着用時の使用感を損なわず、兼用とすることができる。
【図面の簡単な説明】
【００１６】
【図１】図１は、本発明の手袋を示す斜視図である。
【図２】図２は、本発明の手袋の実施形態を示す。即ち、着用状態を示す透視図である。
【図３】図３は、本発明の手袋の実施形態を示す。即ち、着用状態を示す透視図である。
【図４】図４は、本発明の手袋の実施形態を示す。即ち、２名間における着用状態を示す透視図である。
【図５】図５は従来の二人用手袋を示す。（ａ）は各指に対する袋部分をもたない手袋の例を示す。（ｂ）は、２名一体型の一例である手袋を示す。（ｃ）は  ２名一体型の他の例を示す。
【発明を実施するための形態】
【００１７】
本願発明の手袋について、図面に従って詳しく述べる。図１は、該手袋の形態の外観を示す、斜視図である。図２の着用事例のように、それぞれの指袋を有する一般的な手袋の着用とそれほど変わらない外見で実施されるが、図２で示すように、本発明の手袋では、手袋の先端部ｂが挿入部であるａと共に、開かれた筒状となっているため、手袋を着用していながらにして、先端部ｂを経由して、素手で直接、外部との接触を可能とする。
【００１８】
図３で示す実施形態の例のように、着用者１は、先端部の開口部である１ｂを介して、着用者２の手袋の先端部の開口部である２ｂと直接触れ合うことができる。
【００１９】
先端部が開口しているため、手袋の着用時に、外部に置かれている物体の質感を、素手で直接確かめたい場合や、繊細な作業を必要とする等の場合であっても、手袋の先端部をまくるなどする事で、手袋を脱がずとも、それらの行為を行うことができる。
【００２０】
図３で示すように、親指に対してのみ独立した袋を持つ２つの手袋を着用する、左手１と、他方の左手２の２名間におけるそれぞれの指が、互いの手袋の先端である３と４を介して、図４のように、直接素手でつなぎ合える形状にする。
【００２１】
親指を除いた全ての指に対し、対象となる各指を覆うために必要となる余幅の長さは、手の挿入部から、先端の開口部までの手袋全体の長さを１とした場合、約３分の１ほどであり、手袋の全長を仮に３０センチメートルとした場合には、その３分の１である１０センチメートル程度の部分が、着用時の当初には素手の到達がない部分となり、２名が素手で直接触れ合う場合には、その余幅部分が、手を握り合う２名間の手袋における結合部の隙間を埋める部分となる。
【００２２】
先端の開口部の形状については、外気の侵入を防ぐ目的で、該当する指を包む部分よりもさらに長く、充分な長さを有する部分を設けることが最適であるが、例えば布地を素材とする場合には、先端の開口部に、伸縮性のあるゴム等を使い、開口部の面積を少なくすると良い。
【符号の説明】
【００２３】
１    手袋
１ａ  手挿入口
１ｂ  先端の開口部
１ｃ  親指の挿入部
１ｄ  手保持部
２    手
２ａ  一方の手
２ｂ  他方の手
Ｓ    ゆとりスペース
１１    従来の手袋
【図１】
0005554802.tif 000002
【図２】
0005554802.tif 000003
【図３】
0005554802.tif 000004
【図４】
0005554802.tif 000005
【図５】
0005554802.tif 000006